(57)【要約】【課題】エアフィルタを配設するための別途の取り付け部材を必要とすることなく、且つエアフィルタを直接取り替えることができ、メンテナンスを簡便に行ないうる組立構造が改善された製氷機のエアフィルタ装置を提供する。【解決手段】本発明に係る製氷機のエアフィルタ装置は、空気の取り入れのために貫通形成された取り入れ口と、取り入れ口の内周面に設けられるガイドピンを含むメインフレーム体と、メインフレーム体に収められ、取り入れ口と対応する部分に空気流路が形成されたベースフレーム体、及びメインフレーム体とベースフレーム体との間に介在し、取り入れ口に対応する位置に設けられたフィルタ部と、フィルタ部を支えるフィルタフレーム体を有するエアフィルタと、を含むことを特徴とする。【選択図】      図２
2004301487.tif 000002
【特許請求の範囲】
【請求項１】
空気の取り入れのために貫通形成された取り入れ口と、前記取り入れ口の内周面に設けられるガイドピンを含むメインフレーム体と；
前記メインフレーム体に収められ、前記取り入れ口と対応する部分に空気流路が形成されたベースフレーム体と；
前記メインフレーム体とベースフレーム体との間に介在し、前記取り入れ口に対応する位置に設けられたフィルタ部と、前記フィルタ部を支えるフィルタフレーム体を有するエアフィルタと；
を含むことを特徴とする製氷機のエアフィルタ装置。
【請求項２】
前記取り入れ口が、複数個貫通形成されたことを特徴とする請求項１に記載の製氷機のエアフィルタ装置。
【請求項３】
前記ガイドピンが、前記取り入れ口の内周面の一部を折り曲げてなることを特徴とする請求項１に記載の製氷機のエアフィルタ装置。
【請求項４】
前記ベースフレーム体が、
前記メインフレーム体と当接する固定部と、
前記空気流路が形成され、前記固定部と段差をもって折り曲げてなるグリルと、
を含むことを特徴とする請求項１に記載の製氷機のエアフィルタ装置。
【請求項５】
前記空気流路が、複数の貫通形成されたスリットからなることを特徴とする請求項１または４に記載の製氷機のエアフィルタ装置。
【請求項６】
前記エアフィルタが、一端に下方に延在した把手部を含むことを特徴とする請求項１に記載の製氷機のエアフィルタ装置。
【請求項７】
前記フィルタが、前記フィルタフレーム体の下方に取り付けられ、微細格子を有する樹脂からなることを特徴とする請求項１に記載の製氷機のエアフィルタ装置。
【請求項８】
前記フィルタが、前記フィルタフレーム体の下方に取り付けられ、微細格子を有する織物からなることを特徴とする請求項１に記載の製氷機のエアフィルタ装置。
【請求項９】
前記フィルタが、前記フィルタフレーム体の下方に取り付けられ、微細格子を有する金属からなることを特徴とする請求項１に記載の製氷機のエアフィルタ装置。
【請求項１０】
前記メインフレーム体の前面部にはフロントフレーム体が設けられ、前記フロントフレーム体の底面には、前記エアフィルタが出し入れできるように貫通形成されたフィルタ出し入れ口が設けられたことを特徴とする請求項１に記載の製氷機のエアフィルタ装置。
【発明の詳細な説明】
【０００１】
【発明の属する技術分野】
本発明は、製氷機に関し、より詳しくは、製氷機の内部を冷却させるための空気取り入れ用の取り入れ口が設けられ、塵埃または虫類等が製氷機内に侵入することを防止するための製氷機のエアフィルタ装置に関する。
【０００２】
【従来の技術】
一般に、製氷機は、製氷機内に供給された製氷水を冷却させて製氷する装置であって、その内部には、冷媒を圧縮するための圧縮機が設置されている。この圧縮機は、作動の際、多くの熱を放出するため、これを冷却させるために外気の流れ込みがスムーズに行われる必要がある。
【０００３】
図１は、従来の製氷機のエアフィルタを示す（特許文献１参照）。自動製氷機本体１０の下面後方には、冷却用空気の図示しない空気取り入れ口が脚部１１間に形成される。脚部１１の間には、製氷機本体１０に取り付けられるレール１２が固定ねじ１３により取り付けられている。このレール１２にその前方からエアフィルタ１４が差し込まれ、このエアフィルタ１４のフィルタ部１５で下部から取り入れられる空気が浄化され、その結果、浄化された空気が製氷機本体１０の内部に流れ込まれる。
【０００４】
エアフィルタ１４の前部には把手部１６が設けられ、その把手部１６によりエアフィルタ１４をレール１２に沿って出し入れすることができる。また、把手部１６の端部には、上方への突部１７が設けられていて、この突部１７が製氷機本体１０の前面下端部１９に当接することにより、エアフィルタ１４を押さえて支持する。従って、エアフィルタ１４がレール１２に十分に差し込まれ、そのフィルタ部１５により取り入れられる空気が浄化され、その結果、浄化された空気が製氷機本体１０内に吸い込まれる。
【０００５】
従って、図１に示すように、レール１２に対するエアフィルタ１４の取り付けが不十分であっても、図示しないドアの閉止によりエアフィルタ１４が後方に押し込まれるため、常に正規位置にフィルタ１４を位置させることが可能である。
【０００６】
しかしながら、このように製氷機本体１０の底面部にエアフィルタ１４を取り付けるためには、別途のレール１２をねじ止めする必要があるため、作業工程が複雑であり、組立作業が容易ではない。また、メンテナンスを行う場合、レール１２及び固定ねじ１３のような部品を紛失する恐れがある。
【０００７】
【特許文献１】
特開平９−２４３２１６号公報
【０００８】
【発明が解決しようとする課題】
本発明は、従来の製氷機のエアフィルタ装置に関する上記問題点に鑑みてなされたものであり、本発明の目的は、別途の取り付け部材を必要とすることなく、且つメンテナンスを簡便に行うべく組立構造が改善された製氷機のエアフィルタ装置を提供することである。
【０００９】
【課題を解決するための手段】
前記目的を達成するための本発明による製氷機のエアフィルタ装置は、空気の取り入れのために貫通形成された取り入れ口と、前記取り入れ口の内周面に設けられるガイドピンを含むメインフレーム体と；前記メインフレーム体に収められ、前記取り入れ口と対応する部分に空気流路が形成されたベースフレーム体と；前記メインフレーム体とベースフレーム体との間に介在し、前記取り入れ口に対応する位置に設けられたフィルタ部と、前記フィルタ部を支えるフィルタフレーム体を有するエアフィルタと；を含むことを特徴とする。
【００１０】
本発明の好適な実施の形態によると、前記取り入れ口が複数個貫通形成されることが好ましい。
【００１１】
また、前記ガイドピンは、前記取り入れ口の内周面の一部を折り曲げてなることができる。
【００１２】
更に、前記ベースフレーム体は、前記メインフレーム体と当接する固定部と、前記空気流路が形成され、前記固定部と段差をもって折り曲げてなるグリルと、を含むことが好ましい。
【００１３】
なお、前記空気流路は、複数の貫通形成されたスリットからなることがよい。
【００１４】
そして、前記エアフィルタは、一端に下方に延在した把手部を含むことがよい。
【００１５】
また、前記フィルタは、前記フィルタフレーム体の下方に取り付けられ、微細格子を有する樹脂、織物、または金属からなることがよい。
【００１６】
更に、前記メインフレーム体の前面部にはフロントフレーム体が設けられ、前記フロントフレーム体の底面には、前記エアフィルタが出し入れできるように貫通形成されたフィルタ出し入れ口が設けられることが好ましい。
【００１７】
【発明の実施の形態】
以下に添付図面を参照しながら、本発明に係る製氷機のエアフィルタ装置の好適な実施の形態について詳細に説明する。
【００１８】
図２は、本発明に係る製氷機のエアフィルタ装置を示す分解斜視図であって、符号１１０はメインフレーム体、１２０はベースフレーム体、１３０はエアフィルタ、１４０はフロントフレーム体である。
【００１９】
メインフレーム体１１０は、製氷機の底部を形成するものであって、その底面には、製氷機内への空気の取り入れのための取り入れ口１１１が設けられている。ここから取り入れられた外気が、後述するベースフレーム体１２０に設置される圧縮機等を冷却させる。取り入れ口１１１は、メインフレーム体１１０の捩りを抑えるために一つまたは複数に設けられることが好ましい。
【００２０】
また、取り入れ口１１１の内周面には、折り曲げてなるガイドピン１１２が一定の高さをもって形成される。ガイドピン１１２は、後述するエアフィルタ１３０のフィルタフレーム体１３２の両側面をガイドすべく、前記内周面に対をなしてそれぞれ向い合うように設けられる。このガイドピン１１２によりエアフィルタ１３０を容易に出し入れすることができる。
【００２１】
ガイドピン１１２は、取り入れ口１１１の内周面の一部を一定の高さを有するように折り曲げて形成することが好ましい。なお、ガイドピン１１２の高さは、メインフレーム体１１０と後述するグリル部１２０ｂとの間の距離以内に設定することが好ましい。なぜならば、ガイドピン１１２がグリル部１２０ｂと当接することでベースフレーム体１２０の取り付けを干渉することを防止するためである。
【００２２】
ベースフレーム体１２０は、メインフレーム体１１０の上に収められる。このベースフレーム体１２０は、図示しない圧縮機等が設置されるところであり、前記圧縮機等で発生する熱を冷却させるために前記取り入れ口と連通する空気流路１２１が備えられる。
【００２３】
ベースフレーム体１２０は、メインフレーム体１１０に当接／結合される固定部１２０ａと、空気流路１２１を有し固定部１２０ａと段差をもって形成されるグリル部１２０ｂとからなる。好ましくは、図３に示すように、グリル部１２０ｂは、空気流路１２１を中心にして前記ベースフレーム体のボディを一部折り曲げてなることが好ましい。グリル部１２０ｂにより、ベースフレーム体１２０がメインフレーム体１１０と一定の間隔隔てられるため、後述するエアフィルタ１３０をその隔てられた空間に差し込むことができる。
【００２４】
一方、ベースフレーム体１２０の後面には、後壁面との結合のために一部を折り曲げてなる後面フランジ１２２が設けられている。かかる後面フランジ１２２は、製氷機の後方パネル（図示せず）が固定できる空間を提供する。
【００２５】
一方、空気流路１２１は、図２及び図３に示すように、複数のスリット１２１ａからなることが好ましく、取り入れ口１１１と向い合う位置に形成され、空気がスムーズに取り入れられるようにする。
【００２６】
エアフィルタ１３０は、メインフレーム体１１０とベースフレーム体１２０との間に介在し、取り入れ口１１１から取り入れられる空気をフィルタリングする役割を果たすものであって、添付した図面を参考して後で詳細に説明する。
【００２７】
フロントフレーム体１４０は、メインフレーム体１１０及びベースフレーム体１２０の前方に取り付けられ、エアフィルタ１３０が出し入れできるフィルタ出し入れ口１４１を有する。フィルタ出し入れ口１４１は、エアフィルタ１３０をガイドピン１１２に沿って容易に出し入れできるように形成したものであって、エアフィルタ１３０の端面と整合する形状を有することが好ましい。
【００２８】
以下、図３乃至図４Ｂを参照してエアフィルタ１３０について詳細に説明する。エアフィルタ１３０は、微細通孔を有するフィルタ部１３１と、フィルタ部１３１を支えるフィルタフレーム体１３２とからなる。そして、エアフィルタ１３０の一端には、ユーザが容易にエアフィルタ１３０の出し入れができるように把手部１３３が設けられる。把手部１３３は、フィルタフレーム体１３２から延在し、その端部が下方へと折り曲げられている。
【００２９】
エアフィルタ１３０は、メインフレーム体１１０とベースフレーム体１２０との間に介在し、好ましくは、メインフレーム体１１０に貫通形成された取り入れ口１１１を閉止すべくその上に配設すればよい。なお、エアフィルタ１３０の上部面に複数のスリット１２１ａからなる空気流路１２１が位置するように配設する。
【００３０】
かかるエアフィルタ１３０の配設位置は、ガイドピン１１２によりガイドされ、ガイドピン１１２は、エアフィルタ１３０の両側面を好ましい配設位置にガイドし支える。
【００３１】
一方、フィルタ部１３１は、取り入れ口１１１を通って取り入れられる空気に含まれている塵埃や異物などをフィルタリングし、また、虫類等が製氷機内に侵入することを防止する。かかるフィルタ部１３１は、フィルタフレーム体１３２の底面に取り付けられ、微細通孔を有する樹脂からなることが好ましいが、必ずしも樹脂に限定されず、繊維または金属からなっても良いことはいうまでもない。
【００３２】
以下、本発明によりエアフィルタを配設する方法を添付した図面を参照して説明する。
【００３３】
図２に示すように、メインフレーム体１１０には、複数の貫通形成された取り入れ口１１１が形成されている。そして、メインフレーム体１１０に収められるベースフレーム体１２０には、取り入れ口１１１と対応する位置に空気流路１２１が形成されている。なお、ベースフレーム体１２０は、この空気流路１２１の周辺を段差付けしてメインフレーム体１１０と一定の間隔隔てられた空間を形成するグリル部１２０ｂを有する。
【００３４】
また、取り入れ口１１１の内周面には一対のガイドピン１１２が向い合うように設けられ、エアフィルタ１３０の差し込み方向をガイドする。このとき、ガイドピン１１２の高さは、ベースフレーム体１２０との干渉が生じないように、メインフレーム体１１０とグリル部１２０ｂの段差より小さい高さを有する。そして、メインフレーム体１１０及びベースフレーム体１２０の前面部にはフロントフレーム体１４０が取り付けられ、このフロントフレーム体１４０の前面下端部には、エアフィルタ１３０をメインフレーム体１１０とベースフレーム体１２０との間の空間に出し入れすることができるフィルタ出し入れ口１４１が貫通形成される。
【００３５】
従って、エアフィルタ１３０を取り付けるためには、図３乃至図４Ｂに示すように、エアフィルタ１３０を、フィルタ出し入れ口１４１からガイドピン１１２にガイドされながらメインフレーム体１１０とベースフレーム体１２０のグリル部１２０ｂとの間の段差付きの空間に差し込むことで済む。この際、このエアフィルタ１３０は、その長さがメインフレーム体１１０のそれと対応するようになっているため、先端がぶつかって差し込まれないまで十分に差し込むことが好ましい。
【００３６】
また、フィルタ出し入れ口１４１が、フロントフレーム１４０に取り付けられる前面カバー体（図示せず）にも同じ位置に設けられているため、ユーザが前記エアフィルタの取り替えのために前面カバー体を取り外すことなく取り替えるべきエアフィルタを取り出すことができる。
【００３７】
以上、添付図面を参照しながら本発明に係る製氷機のエアフィルタ装置の好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【００３８】
【発明の効果】
以上で説明した本発明に係る製氷機のエアフィルタ装置によると、メインフレーム体とベースフレーム体との間の空間に一体に形成されたガイドピンによりエアフィルタの配設空間が設けられるため、エアフィルタを配設するための別途のレール部材及び固定部材を必要とすることなく、且つ前面部に設けられたフィルタ出し入れ口から直接エアフィルタを取り替えることができ、メンテナンスが簡便である。
【図面の簡単な説明】
【図１】一般の製氷機のエアフィルタ装置を示す分解斜視図である。
【図２】本発明に係る製氷機のエアフィルタ装置を示す分解斜視図である。
【図３】図２のＩＩＩ−ＩＩＩ線に沿う断面図である。
【図４Ａ】製氷機のエアフィルタを示す斜視図である。
【図４Ｂ】図２のメインフレーム体に形成された取り入れ口とガイドピンを拡大して示す要部拡大図である。
【符号の説明】
１１０    メインフレーム体
１１１    取り入れ口
１１２    ガイドピン
１２０    ベースフレーム体
１２１    空気流路
１２１ａ  スリット
１３０    エアフィルタ
１３１    フィルタ部
１３２    フィルタフレーム体
１３３    把手部
１４０    フロントフレーム体
１４１    フィルタ出し入れ口
【図１】
2004301487.tif 000003
【図２】
2004301487.tif 000004
【図３】
2004301487.tif 000005
【図４Ａ】
2004301487.tif 000006
【図４Ｂ】
2004301487.tif 000007